【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
電子写真画像形成装置本体に着脱可能なカートリッジにおいて、
電子写真感光体に形成された静電潜像を現像するための現像ローラと、
前記現像ローラを回転するための回転力を前記装置本体から受けるためのカップリング部材と、
前記カップリング部材の回転軸線が傾動可能となるよう前記カップリング部材を保持するとともに、前記カップリング部材から前記現像ローラへ前記回転力を伝達するべく回転可能な回転力伝達部材であって、前記カップリング部材が前記回転力伝達部材から外れるのを規制する規制位置と前記カップリング部材が前記回転力伝達部材から外れるのを許容する退避位置との間を移動可能な第１の規制部を備えた回転力伝達部材と、
前記第１の規制部が前記規制位置から前記退避位置へ移動するのを規制する第２の規制部と、
を有することを特徴とするカートリッジ。
【請求項２】
前記カートリッジの本体に固定された固定部材が、前記第２の規制部を備えることを特徴とする請求項１に記載のカートリッジ。
【請求項３】
前記固定部材は、前記回転力伝達部材を覆っているサイドカバーであることを特徴とする請求項２に記載のカートリッジ。
【請求項４】
前記回転力伝達部材を回転可能に支持する軸受部材を有し、
前記回転力伝達部材は、前記軸受部材と前記サイドカバーとの間に配置されていることを特徴とする請求項３に記載のカートリッジ。
【請求項５】
前記第１の規制部は、前記規制位置から前記退避位置へ撓み可能に構成されたことを特徴とする請求項１乃至４のいずれか１項に記載のカートリッジ。
【請求項６】
前記回転力伝達部材は、略円筒形状であり、その内側で前記カップリング部材を保持することを特徴とする請求項１乃至５のいずれか１項に記載のカートリッジ。
【請求項７】
前記回転力伝達部材の前記内側に、前記カップリング部材から前記回転力を受ける回転力受け部を有することを特徴とする請求項６に記載のカートリッジ。
【請求項８】
前記回転力伝達部材、前記回転力受け部、及び、前記第１の規制部は樹脂製であって、一体成形されていることを特徴とする請求項７に記載のカートリッジ。
【請求項９】
前記第１の規制部は、前記回転力伝達部材の前記内側に構成されたことを特徴とする請求項６乃至８のいずれか１項に記載のカートリッジ。
【請求項１０】
前記第１の規制部は、前記回転力伝達部材の回転方向に沿って複数箇所に配置されていることを特徴とする請求項９に記載のカートリッジ。
【請求項１１】
前記第１の規制部は、前記回転力伝達部材の内面と隙間を有して配置されていることを特徴とする請求項９または１０に記載のカートリッジ。
【請求項１２】
前記第２の規制部は前記隙間に侵入し、前記第１の規制部が前記回転力伝達部材の回転半径方向において外方に移動するのを規制することを特徴とする請求項１１に記載のカートリッジ。
【請求項１３】
前記回転力伝達部材は、その回転半径外側に、前記現像ローラへ前記回転力を伝達するためのギア部を有することを特徴とする請求項１乃至１２のいずれか１項に記載のカートリッジ。
【請求項１４】
前記カップリング部材は一端側に球形状部を有し、その球形状部が前記第１の規制部によって規制されることを特徴とする請求項１乃至１３のいずれか１項に記載のカートリッジ。
【請求項１５】
電子写真画像形成装置の本体に取り外し可能に装着されるカートリッジにおいて、
現像剤を収容する現像剤収容部と、
前記現像剤収容部に収容されている現像剤を用いて、電子写真感光体ドラムに形成された静電潜像を現像するための現像ローラと、
前記現像ローラに前記現像剤を供給する現像剤供給ローラと、
前記カートリッジが前記本体に装着された状態で、前記現像ローラを回転するための回転力を前記本体から受けるためのカップリング部材と、
内側に前記カップリング部材の一端側を可動状態で取り付けている樹脂製の円筒部材と、
前記円筒部材の前記内側に設けられた、前記カップリング部材が前記本体から受けた前記回転力を受けるための、樹脂製の円筒側力受け部と、
前記円筒部材の外側周面に設けられている、前記円筒側力受け部が受けた前記回転力を前記現像ローラに伝達するための第１のギアと、
前記円筒部材の外側周面に設けられている、前記円筒側力受け部が受けた前記回転力を前記現像剤供給ローラに伝達するための第２のギアと、
前記円筒部材の前記内側に取り付けられた前記カップリング部材の一端側が前記円筒部材の軸線方向に外れるのを規制する第１の規制部であって、前記円筒部材の円周方向に沿って、かつ、間隔をあけて複数箇所に配置されており、前記円筒部材の半径方向に撓み可能である、樹脂製の第１の規制部と、
前記現像ローラの長手方向一端側に設けられた現像ローラ軸部を支持する、且つ、前記現像剤供給ローラの長手方向一端側に設けられた現像剤供給ローラ軸部を支持する第１の軸受部材と、
前記現像ローラの長手方向他端側に設けられた現像ローラ軸部を支持する、且つ、前記現像剤供給ローラの長手方向他端側に設けられた現像剤供給ローラ軸部を支持する第２の軸受部材と、
前記第１の軸受部材と結合している状態で、前記カップリング部材の一端側を取り付けた前記円筒部材を回転可能に覆っており、且つ、第２の規制部を有しており、前記第２の規制部は前記円筒部材の内面と前記第１の規制部との、少なくとも一つの隙間に進入して前記第１の規制部が撓むのを規制しているサイドカバーと、
を有することを特徴とするカートリッジ。
【請求項１６】
現像剤を収容する現像剤収容部と、前記現像剤収容部に収容されている現像剤を用いて、電子写真感光体ドラムに形成された静電潜像を現像するための現像ローラと、を有して、電子写真画像形成装置の本体に取り外し可能に装着されるカートリッジに用いられる、前記カートリッジが前記本体に装着された状態で、前記現像ローラを回転するための回転力を前記本体から受けるためのカップリング部材をカートリッジ枠体に取り付けるカップリング部材の取り付け方法において、
・円筒部材の円周方向に沿って、間隔をあけて複数箇所に配置されており、前記円筒部材の半径方向に撓み可能である、樹脂製の第１の規制部を前記半径方向の外側に撓ませながら前記カップリングの一端側を前記円筒部材の内側に可動状態で取り付けるカップリング部材の取り付け工程と、
・前記カップリング部材の取り付け工程によって、前記カップリングの前記一端側を前記内側に取り付けられた前記円筒部材を、前記カートリッジ枠体の長手方向一端に取り付けられている、前記現像ローラの長手方向一端側に設けられた現像ローラ軸部を支持している軸受部材と、サイドカバーとの間に介在させて、前記サイドカバーの開口から前記カップリングの他端側を突出させた状態で、且つ、前記サイドカバーが有する第２の規制部を前記円筒部材の内面と前記第１の規制部との、少なくとも一つの隙間に進入させて前記第１の規制部が撓むのを規制するように前記サイドカバーを前記カートリッジ枠体に取り付けるサイドカバーの取り付け工程と、
を有するカップリング部材の取り付け方法。
【請求項１７】
前記サイドカバーの取り付け工程において、前記円筒部材を前記軸受部材と前記サイドカバーとの間に介在させて、前記サイドカバーを前記カートリッジ枠体に取り付けるに当たって、前記サイドカバーが有する弾性部材の弾性力によって前記カップリング部材を傾斜規制部に突き当てた状態で、ネジによって前記サイドカバーを前記カートリッジ枠体に取り付けることを特徴とする請求項１６に記載のカップリング部材の取り付け方法。
【請求項１８】
現像剤を収容する現像剤収容部と、前記現像剤収容部に収容されている現像剤を用いて、電子写真感光体ドラムに形成された静電潜像を現像するための現像ローラと、を有して、電子写真画像形成装置の本体に取り外し可能に装着されるカートリッジに用いられる、前記カートリッジが前記本体に装着された状態で、前記現像ローラを回転するための回転力を前記本体から受けるためのカップリング部材をカートリッジ枠体から取り外すカップリング部材の取り外し方法において、
・間隔をあけて複数箇所に円周方向に沿って配置されており、半径方向に撓み可能である、樹脂製の第１の規制部を有する円筒部材を、前記カートリッジ枠体の長手方向一端に取り付けられている、前記現像ローラの長手方向一端側に設けられた現像ローラ軸部を支持している軸受部材と、サイドカバーとの間に、介在させて、前記サイドカバーの開口から前記カップリング部材の他端側を突出させた状態で、且つ、前記サイドカバーが有する第２の規制部を前記円筒部材の内面と前記第１の規制部との、少なくとも一つの隙間に進入させて前記第１の規制部が撓むのを規制するように前記カートリッジ枠体に取り付けられている前記サイドカバーを前記カートリッジ枠体から取り外すサイドカバーの取り外し工程と、
・前記サイドカバーの取り外し工程によって、前記サイドカバーを前記カートリッジ枠体から取り外した後に、前記カップリング部材の前記一端側を内側に取り付けられた前記円筒部材から前記カップリング部材を取り外すに当たって、前記第１の規制部を前記円筒の半径方向において外側に撓ませながら前記円筒部材から前記カップリング部材を取り外すカップリング部材の取り外し工程と、
を有することを特徴とするカップリング部材の取り外し方法。
【請求項１９】
前記サイドカバーの取り外し工程において、前記サイドカバーを前記カートリッジ枠体から取り外すに当たって、前記サイドカバーが有する弾性部材の弾性力によって前記カップリング部材を傾斜規制部に突き当てた状態で、前記サイドカバーを前記カップリング部材と一体に前記カートリッジ枠体から取り外すことを特徴とする請求項１８に記載のカップリング部材の取り付け方法。
【手続補正２】
【補正対象書類名】明細書
【補正対象項目名】００１６
【補正方法】変更
【補正の内容】
【００１６】
上記目的を達成するための本発明に係る代表的な構成は、電子写真画像形成装置本体に着脱可能なカートリッジにおいて、電子写真感光体に形成された静電潜像を現像するための現像ローラと、前記現像ローラを回転するための回転力を前記装置本体から受けるためのカップリング部材と、前記カップリング部材の回転軸線が傾動可能となるよう前記カップリング部材を保持するとともに、前記カップリング部材から前記現像ローラへ前記回転力を伝達するべく回転可能な回転力伝達部材であって、前記カップリング部材が前記回転力伝達部材から外れるのを規制する規制位置と前記カップリング部材が前記回転力伝達部材から外れるのを許容する退避位置との間を移動可能な第１の規制部を備えた回転力伝達部材と、前記第１規制部が前記規制位置から前記退避位置へ移動するのを規制する第２の規制部と、を有することを特徴とする。